(57)【要約】【課題】  Ｏ−リング等を用いることなく、成形が容易な簡易な構成により落下時の衝撃を効果的に緩和して、ノズル開口を封止する棒状突起物の破損を回避できるヒンジ蓋付き容器を提供する。【解決手段】  薄肉ヒンジ部１５を介して本体部１３の周縁に開閉可能に連結された蓋１４を有し、本体部１３の中央部分に形成されたノズル開口１６に蓋１４から内側に突出する棒状突起物１７を挿入して、蓋１４の閉塞時にノズル開口１６を封止するヒンジ蓋付き容器１０であって、本体部１３には、ノズル開口１６と薄肉ヒンジ部１５の連結部１８との間に配置されて係合穴１９が形成されており、蓋１４には、係合穴１９と係合する棒状補助突起物２０が内側に突出して係合穴１９と対応する位置に設けられている。【選択図】      図３
2006256622.tif 000002
【特許請求の範囲】
【請求項１】
薄肉ヒンジ部を介して本体部の周縁に開閉可能に連結された蓋を有し、前記本体部の中央部分に形成されたノズル開口に前記蓋から内側に突出する棒状突起物を挿入して、前記蓋の閉塞時に前記ノズル開口を封止するヒンジ蓋付き容器であって、
前記本体部には、前記ノズル開口と前記薄肉ヒンジ部の連結部との間に配置されて係合穴が形成されており、前記蓋には、前記係合穴と係合する棒状補助突起物が内側に突出して前記係合穴と対応する位置に設けられているヒンジ蓋付き容器。
【請求項２】
前記係合穴は、前記ノズル開口と前記薄肉ヒンジ部の連結部との間における、該連結部からこれらの間の間隔の１／２〜１／４の長さ離れた領域に中心が配置されるように形成される請求項１記載のヒンジ蓋付き容器。
【発明の詳細な説明】
【技術分野】
【０００１】
本発明は、ヒンジ蓋付き容器に関し、特に、薄肉ヒンジ部を介して本体部の周縁に開閉可能に連結された蓋を有し、本体部の中央部分に形成されたノズル開口を蓋から内側に突出する棒状突起物によって封止するヒンジ蓋付き容器に関する。
【背景技術】
【０００２】
ヒンジ蓋付き容器は、上部が閉塞された容器本体による本体部の上端周縁や、容器本体の上部に装着されたキャップによる本体部の上端周縁に、薄肉ヒンジ部を介して開閉可能に蓋を連結してなるものであり、蓋を開閉しつつ、例えば当該蓋から内側に突出する棒状突起物によって、本体部に形成されたノズル開口を開放したり封止したりすることができるようになっている。ヒンジ蓋付き容器の薄肉ヒンジ部は、中央が薄肉となっていることにより二つ折りに折り曲げ可能な帯状部分によって構成されるのが一般的である（例えば、特許文献１参照）。
【０００３】
一方、蓋から内側に突出する棒状突起物によって本体部に形成されたノズル開口を開閉するヒンジ蓋付き容器では、棒状突起物を挿入してノズル開口を封止している状態で、例えば落下時の衝撃を受けた際に、本体部に対して蓋が相対的に位置ずれすることにより、ノズル開口を封止していた棒状突起物に急激な曲げ荷重が負荷されて、ピン折れ等の棒状突起物の破損を生じる場合がある。このため、例えばノズル開口の開口周縁部に弾性部材からなるＯ−リングを装着して棒状突起物を係合させることにより、落下時の衝撃等を吸収しつつ棒状突起物によってノズル開口を封止するようにしたヒンジ蓋付き容器も知られている。
【特許文献１】特開２００１−２０６４１５号公報
【発明の開示】
【発明が解決しようとする課題】
【０００４】
しかしながら、例えばノズル開口の開口周縁部に弾性部材からなるＯ−リングを装着して棒状突起物をノズル開口に係合させるヒンジ蓋付き容器では、Ｏ−リングという別部材が必要になって部品点数が増加すると共に、容器の製造工程が煩雑になる。また、弾性部材を介在させた棒状突起物のノズル開口への係合では、ノズル開口の封止状態は確保できても、蓋の閉塞状態をロックしておくのに十分な係合力を得ることができないので、例えば本体部や蓋の周縁部分に、本体部に対する蓋の閉塞状態を着脱可能にロックしておくためのロック機構を別途設ける必要がある。
【０００５】
本発明は、Ｏ−リング等の別部材を用いることなく、成形が容易な簡易な構成により落下時の衝撃等を効果的に緩和して、本体部のノズル開口を封止している棒状突起物にピン折れ等の破損が生じるのを回避することができ、また棒状突起物によるノズル開口の封止によって、蓋の閉塞状態を十分な係合力でロック可能にすることのできるヒンジ蓋付き容器を提供することを目的とする。
【課題を解決するための手段】
【０００６】
本発明は、薄肉ヒンジ部を介して本体部の周縁に開閉可能に連結された蓋を有し、前記本体部の中央部分に形成されたノズル開口に前記蓋から内側に突出する棒状突起物を挿入して、前記蓋の閉塞時に前記ノズル開口を封止するヒンジ蓋付き容器であって、前記本体部には、前記ノズル開口と前記薄肉ヒンジ部の連結部との間に配置されて係合穴が形成されており、前記蓋には、前記係合穴と係合する棒状補助突起物が内側に突出して前記係合穴と対応する位置に設けられているヒンジ蓋付き容器を提供することにより、上記目的を達成したものである。
【発明の効果】
【０００７】
本発明のヒンジ蓋付き容器によれば、Ｏ−リング等の別部材を用いることなく、成形が容易な簡易な構成により落下時の衝撃等を効果的に緩和して、本体部のノズル開口を封止てしいる棒状突起物にピン折れ等の破損が生じるのを回避することができ、また棒状突起物によるノズル開口の封止によって、蓋の閉塞状態を十分な係合力でロック可能にすることができる。
【発明を実施するための最良の形態】
【０００８】
本発明の好ましい一実施形態に係るヒンジ蓋付き容器１０は、図１及び図２に示すように、内部に例えばシャンプー等の液体洗剤を収容した容器本体１１の上部に、キャップ１２を装着することによって構成されるものである。またキャップ１２は、肩部１１ａや頭部１１ｂ（図３（ａ），（ｂ）参照）を含む容器本体１１の上端部分を覆って配置される本体部１３と、薄肉ヒンジ部１５を介してキャップ１２の本体部１３の周縁に開閉可能に連結される蓋１４とからなる。本実施形態では、容器本体１１の胴部１１ｃは、４方の側面１１ｄ及びこれらの側面１１ｄをつなぐ４箇所の角部１１ｅが滑らかに湾曲しながら連続する略４角形の外周断面形状を備えると共に、胴部１１ｃと連設するキャップ１２もまた、４方の側面１２ｄ及びこれらの側面１２ｄをつなぐ４箇所の角部１２ｅが滑らかに湾曲しながら連続する略４角形の外周断面形状を備えている。一方、キャップ１２の蓋１４は、例えば上部から斜めに面取りしたキャップ１２の一箇所の角部１２ｅ’において、本体部１３の上端周縁に薄肉ヒンジ部１５を介して連結されており、当該薄肉ヒンジ部１５が設けられた角部１２ｅ’と対角位置にある角部１２ｅに指を係止しつつ蓋１４の開放を行う方向が、薄肉ヒンジ部１５の本来の開放方向（開閉方向）Ｘとなっている。
【０００９】
そして、本実施形態のヒンジ蓋付き容器１０は、図３及び図４にも示すように、薄肉ヒンジ部１５を介して本体部１３の周縁に開閉可能に連結された蓋１４を有し、本体部１３の中央部分に形成されたノズル開口１６に蓋１４から内側に突出する棒状突起物１７を挿入して、蓋１４の閉塞時にノズル開口１６を封止する容器であって、本体部１３には、ノズル開口１６と薄肉ヒンジ部１５の連結部１８との間に配置されて係合穴１９が形成されており、蓋１４には、係合穴１９と係合する棒状補助突起物２０が内側に突出して係合穴１９と対応する位置に設けられている。
【００１０】
本実施形態では、キャップ１２は、合成樹脂成形品であって、中空スカート状の本体部１３の天面板１３ａの中央部分から下方に突出する円筒状の雌ねじ部１３ｂを、容器本体１１の頭部１１ｂに設けられた雄ねじに螺合することにより、各側面１２ｄを容器本体１１の側面１１ｄに連続させた状態で（図1参照）、同じく合成樹脂成形品である容器本体１１の上端部分に取り付けられる。また本体部１３の天面板１３ａの中央部分には、容器本体１１の頭部１１ｂ及びキャップ１４の雌ねじ部１３ｂの内側に配置されて、例えば円形のノズル開口１６が周縁部に環状突部１６ａを突出させて開口形成されている。このノズル開口１６を介して、容器本体１１に収容された液体洗剤を注出できるようになっていると共に、このノズル開口１６には、蓋１４の中央部分から下方に突出する例えば中空円筒状の棒状突起物１７が着脱可能に挿入係止されて、蓋１４の開閉操作に伴ってノズル開口１６を開閉することができるようになっている。
【００１１】
蓋１４は、薄肉ヒンジ部１５を介在させて本体部１３と一体成形されることにより、本体部１３に対して開閉可能に連結した状態で形成される。蓋１４は、本体部１３と同様の一箇所の角部１２ｅ’が面取りされた略４角形の平面形状を備えると共に、上端周縁部が外側に迫り出すように形成されており、指を係止し易くして開閉操作を容易に行えるようになっている。また、薄肉ヒンジ部１５が設けられた角部１２ｅ’とは対角位置にある蓋１４の角部１２ｅには、上端周縁部の下側部分を凹ませて指掛け凹部２２が形成されており、薄肉ヒンジ部１５の本来の開放方向Ｘに蓋１４を開放させる正しい指の係止位置を案内している。さらに、蓋１４の下面側には、同心状に配置された中空円筒状の棒状突起物１７と支持円筒２３とが中央部分から下方に突出して設けられている。棒状突起物１７は、ノズル開口１６の内径と略同様の外径を有していると共に、その下端外周面に、ノズル開口１６の内径よりも外径が僅かに大きくなった環状段差部１７ａを備えている。蓋１４の下端周縁部１４ａが本体部１３の上端周縁部１３ｃに当接するまで蓋１４を閉塞した際に、棒状突起物１７の環状段差部１７ａが、ノズル開口１６を押し広げるように弾性変形させつつノズル開口１６に挿入されてノズル開口１６の下端周縁に係止されることにより、蓋１４による本体部１３及びノズル開口１６の閉塞状態を、十分な係合力で着脱可能にロックしておくことが可能になる。
【００１２】
キャップ１２の本体部１３と蓋１４とを連結する薄肉ヒンジ部１５は、薄肉ヒンジ部として公知のものであり、図４に示すように、例えば中央が薄肉となっていることにより二つ折りに折り曲げ可能な一対の帯状部分２５によって構成されている。また薄肉ヒンジ部１５は、これらの平行に配置された一対の帯状部分２５の間に配置されて、本体部１３に対して蓋１４を開く側や閉じる側に付勢する付勢手段としての弾性片２４を備えており、いわゆるジャバラヒンジ形式のヒンジ部となっている。
【００１３】
本実施形態では、さらに、本体部１３の天面板１３ａには、周縁における薄肉ヒンジ部１５の連結部１８とノズル開口１６との間に配置されて、係合穴１９が形成されており、係合穴１９と係合する棒状補助突起物２０が、蓋１４の内側に突出して設けられている。係合穴１９や棒状補助突起物２０は、本体部１３に対して蓋１４を開いた状態で、合成樹脂成形品としてキャップ１２を一体として成形する成形時に、キャップ１２の構成部分として組み込んで簡易且つ容易に設けることができる。また、係合穴１９は、ノズル開口１６を介して収容された液体洗剤を注出する際に、当該係合穴１９から液体洗剤を漏れ出させない位置として、ノズル開口１６よりも薄肉ヒンジ部１５側に寄ったノズル開口１６と連結部１８との間に配置されて、例えば円形に開口形成される。一方、棒状補助突起物２０は、薄肉ヒンジ部１５から係合穴１９と同じ距離離れた対応する位置に、例えば円柱状のロッド部材として蓋１４から内側に突出して設けられ、蓋１４が閉塞された際に、その先端部分を係合穴１９に嵌め込むように挿入する。
【００１４】
なお、本体部１３の天面板１３ａにおいて係合穴１９が形成される位置は、ノズル開口１６と薄肉ヒンジ部１５の連結部１８との間の、連結部１８からこれらの間の間隔Ｌの１／２〜１／４の長さ離れた領域Ｒに係合穴１９の中心が配置されるようにすることが好ましい。係合穴１９の中心がこのような領域Ｒに配置されるように係合穴１９を形成することにより、広い範囲でのキャップ１２の開き角度において棒状補助突起物２０が係合穴１９に嵌め込まれた状態になるという利点が得られる。
【００１５】
そして、上述の構成を備える本実施形態のヒンジ蓋付き容器１０によれば、キャップ１２の成形時に容易に設けることが可能な係合穴１９と棒状補助突起物２０により、落下時の衝撃等を効果的に緩和して、本体部１３のノズル開口１６を封止てしいる棒状突起物１７にピン折れ等の破損が生じるのを回避することができる。すなわち、本実施形態によれば、蓋１４の閉塞時に、棒状突起物１７のノズル開口１６への係合に加えて、棒状補助突起物２０が係合穴１９に嵌め込むように係合されるので、例えば落下時の衝撃を受けた際に、係合穴１９に係合された棒状補助突起物２０によって急激な曲げ荷重を効果的に支持することが可能になり、かかる曲げ荷重を分散することによって、棒状突起物１７に負荷される衝撃を緩和することが可能になる。
【００１６】
また、本実施形態によれば、ノズル開口１６に棒状突起物１７を係合する際に、Ｏ−リング等の衝撃を吸収するための弾性部材を介在させる必要がないので、例えば棒状突起物１７の環状段差部１７ａをノズル開口１６を押し広げるように弾性変形させつつノズル開口１６の下端周縁に係止することによって、他のロック機構を要することなく、当該棒状突起物１７のノズル開口１６への係合により、本体部１３及びノズル開口１６の閉塞状態を十分な係合力でロックしておくことが可能になる。
【００１７】
さらに、略４角形の外周断面形状を備える本実施形態のヒンジ蓋付き容器１０では、図１に示すように、４方の側面１１ｄ，１２ｄのうちの何れか一つの側面を容器１０の正面と認識し易く、当該正面と認識した側面１１ｄ，１２ｄに沿って指を上方にスライド移動させて、蓋１４を開放しようとする場合がある。このような場合、側面１１ｄ，１２ｄに沿った指のスライド方向Ｙは、薄肉ヒンジ部１５の本来の開放方向Ｘとはずれることになり、これによって薄肉ヒンジ部１５には捻れ力が負荷されることになる。本実施形態では、上述のように、本体部１３の天面板１３ａには、周縁の薄肉ヒンジ部１５の連結部１８とノズル開口１６との間に配置されて、係合穴１９が形成されており、係合穴１９と係合する棒状補助突起物２０が、蓋１４の内側に突出して設けられており、蓋１４の閉塞時にこれらが係合するようになっている。したがって、これらを方向規制手段として、特に蓋１４の開放時に、スライド方向Ｙに沿った誤った開放方向から、蓋１４が開くのに伴って薄肉ヒンジ部１５の本来の開放方向Ｘに誘導されてゆくまでの間、薄肉ヒンジ部１５に負荷される捻れ力を効果的に支持して、薄肉ヒンジ部１５が破損するのを回避させることが可能になる。
【００１８】
なお、本発明は上記実施形態に限定されることなく種々の変更が可能である。例えば、本発明のヒンジ蓋付き容器は、略４角形の外周断面形状を備える容器である必要は必ずしも無く、円形の外周断面形状等、その他の種々の形状を備える容器であっても良い。また、薄肉ヒンジ部はジャバラヒンジによるものである必要は必ずしもなく、容器に収容される収容物は、液体洗剤以外のその他の種々の収容物であっても良い。さらに、蓋は、キャップを介することなく上部が閉塞された容器本体を本体部として当該容器本体に直接連結されるものであっても良い。さらにまた、係合穴や棒状補助突起物は、円形や円柱状のものである必要は必ずしもなく、４角形や４角柱状のもの等、その他の種々の形状とすることができる。
【図面の簡単な説明】
【００１９】
【図１】本発明の好ましい一実施形態に係るヒンジ蓋付き容器の斜視図である。
【図２】本発明の好ましい一実施形態に係るヒンジ蓋付き容器の部分斜視図である。
【図３】本発明の好ましい一実施形態に係るヒンジ蓋付き容器の要部を示す、図１のＡ−Ａ線に沿った断面図である。
【図４】係合穴の配置領域を説明する部分斜視図である。
【符号の説明】
【００２０】
１０  ヒンジ蓋付き容器
１１  容器本体
１２  キャップ
１３  キャップの本体部
１４  キャップの蓋
１５  薄肉ヒンジ部
１６  ノズル開口
１７  棒状突起物
１８  薄肉ヒンジ部の連結部
１９  係合穴
２０  棒状補助突起物
２４  弾性片
２５  帯状部分
Ｌ   ノズル開口と薄肉ヒンジ部の連結部との間の間隔
Ｒ    係合穴の中心が配置される好ましい領域
Ｘ    薄肉ヒンジ部の本来の開放方向
Ｙ    薄肉ヒンジ部の本来の開放方向と異なる開放方向
【図１】
2006256622.tif 000003
【図２】
2006256622.tif 000004
【図３】
2006256622.tif 000005
【図４】
2006256622.tif 000006